(57)【要約】【課題】  携帯性を損なうこと無く，より広い表示面積を確保できる携帯機器を実現する。【解決手段】  ベース筐体（２０，３０，４０）は、同じ方向の面に表示パネル（２２，３２，４２）を具備する。ベース筐体（３０）はベース筐体（２０）に対し、表示パネル（３２）を隠蔽する隠蔽位置と表示パネル（３２）を露出する露出位置との間でスライド可能である。表示パネル（３２）の露出位置でベース筐体（２０、３０）は信号接続し、表示パネル（３２）の隠蔽位置で信号接続が遮断される。ベース筐体（４０）は筐体（３０）に対し、表示パネル（４２）を隠蔽する隠蔽位置と、表示パネル（４２）を露出する露出位置との間でスライド可能である。表示パネル（４２）の露出位置でベース筐体（３０、４０）は信号接続し、表示パネル（４２）の隠蔽位置で信号接続が遮断される。【選択図】  図３
2010224326.tif 000002
【特許請求の範囲】
【請求項１】
第１の表示パネル（２２）を片面に装備する第１の筐体（２０）と、
第２の表示パネル（３２）を片面に装備し、当該第１及び第２の表示パネル（２２、３２）が同方向に向いた状態で当該第１の筐体（２０）に積層される第２の筐体（３０）であって、当該第１の筐体（２０）を、当該第２の表示パネル（３２）を隠蔽する隠蔽位置と、当該第２の表示パネル（３２）を露出する露出位置との間でスライド自在に支持する第２の筐体（３０）
とを具備する携帯機器であって、
当該第２の表示パネル（３２）の露出位置において当該第１及び第２の筐体（２０、３０）を互いに信号接続し、当該第２の表示パネル（３２）の隠蔽位置で当該第１及び第２の筐体（２０，３０）間の信号接続を遮断する信号接続手段（６２〜６６、８２〜８６）を具備する
ことを特徴とする携帯機器。
【請求項２】
当該信号接続手段が、光学信号接続手段であることを特徴とする請求項１に記載の携帯機器。
【請求項３】
更に、
第３の表示パネル（４２）を片面に装備し、当該第３の表示パネル（４２）が当該第２の表示パネル（３２）と同方向に向いた状態で、当該第２の筐体（３０）の、当該第１の筐体（２０）とは反対面に積層される第３の筐体（４０）であって、当該第２の筐体（３０）を、当該第３の表示パネル（４２）を隠蔽する隠蔽位置と、当該第３の表示パネル（４２）を露出する露出位置との間でスライド自在に支持する第３の筐体（４０）と、
当該第３の表示パネル（４２）の露出位置において当該第２及び第３の筐体（３０、４０）を互いに信号接続し、当該第３の表示パネル（４２）の隠蔽位置において当該第２及び第３の筐体（３０、４０）間の信号接続を遮断する第２の信号接続手段（６２〜６６、８２〜８６）
とを具備することを特徴とする請求項１又は２に記載の携帯機器。
【請求項４】
当該第２の信号接続手段が、光学信号接続手段であることを特徴とする請求項３に記載の携帯機器。
【発明の詳細な説明】
【技術分野】
【０００１】
本発明は、携帯機器に関する。
【背景技術】
【０００２】
携帯電話に代表される携帯型電子機器には、一般に、表示装置を有しており、表示エリアは、広いほど好ましい。本体と表示装置をヒンジで接続することで、広い表示エリアを確保する折り畳み型のもの、また、キーボードを有する本体に対し、表示装置を横スライド可能に取り付けたスライド型などがある。
【０００３】
何れのタイプも、携帯型電子機器の本体と表示装置は、フレキシブルプリント基板等の固定的な配線で接続されており、その配線を機械的に変形可能とすることで、折り畳み型又はスライド型を実現している。
【先行技術文献】
【特許文献】
【０００４】
【特許文献１】特開平８−４４６７２号公報
【特許文献２】特開２００７−２４３７３７号公報
【特許文献３】特開２００３−２４４３０１号公報
【発明の概要】
【発明が解決しようとする課題】
【０００５】
従来のように、携帯型電子機器本体と表示装置の信号接続に固定的な配線を試用する構成では、両者間の可動範囲が配線の長さ範囲又は変形可能範囲に限定されてしまい、電子機器のデザイン上で大きな制限要因となる。
【０００６】
表示エリアを広くしようとすると、本体を収容する筐体と、表示装置を収容する筐体の両方又は後者を大きくするしかなく、携帯性を損なってしまう。
【０００７】
本発明は、このような不都合に鑑み、携帯性を損なうこと無く，より広い表示面積を確保できる携帯機器を提示することを目的とする。
【課題を解決するための手段】
【０００８】
本発明に係る携帯機器は、第１の表示パネルを片面に装備する第１の筐体と、第２の表示パネルを片面に装備し、当該第１及び第２の表示パネルが同方向に向いた状態で当該第１の筐体に積層される第２の筐体であって、当該第１の筐体を、当該第２の表示パネルを隠蔽する隠蔽位置と、当該第２の表示パネルを露出する露出位置との間でスライド自在に支持する第２の筐体とを具備する携帯機器であって、当該第２の表示パネルの露出位置において当該第１及び第２の筐体を互いに信号接続し、当該第２の表示パネルの隠蔽位置で当該第１及び第２の筐体間の信号接続を遮断する信号接続手段を具備することを特徴とする。
【発明の効果】
【０００９】
本発明では、第１及び第２の筐体間の信号接続にフレキシブルプリント基板のような常時、物理的に接続する手段を用いないので、第１の筐体と第２の筐体を物理的に分離することも可能になり、使い勝手が大幅に向上する。表示パネルが画像メモリ性を有する場合は、所望の内容を表示させた状態で表示パネルを取り外すことも可能であり、例えば地図を表示させた後に表示パネルだけを取り外してナビゲーションに利用するような使い方が可能となる。
【図面の簡単な説明】
【００１０】
【図１】本発明の一実施例である携帯機器の全体斜視図を示す。
【図２】図１のＡ−Ａ線から見た中央断面図を示す。
【図３】本実施例の分解斜視図を示す。
【図４】本実施例を全表示装置を使用可能にした引出し時の状態の平面図を示す。
【図５】引出し位置におけるベース筐体間の係止機構の断面図を示す。
【図６】ベース筐体を他のベース筐体の下面に収容した位置（又は引出し位置でない位置）にあるときの係止機構の断面図を示す。
【図７】ベース筐体（の内部回路）との間の信号接続部の構成を示す。
【図８】ベース筐体間を電気接続する場合の一方の電気端子の平面図を示す。
【図９】ベース筐体間を電気接続する場合の他方の電気端子の平面図を示す。
【図１０】対向する電気端子が離れている状態の斜視図である。
【図１１】対向する電気端子が接続している状態の斜視図である。
【発明を実施するための形態】
【００１１】
以下、図面を参照して、本発明の実施例を詳細に説明する。
【実施例１】
【００１２】
図１は、本発明の一実施例である携帯機器１０の全体斜視図を示す。図２は、図１のＡ−Ａ線から見た中央断面図を示し、図３は、分解斜視図を示す。図４は、全表示装置を使用可能にした引出し時の状態の平面図を示す。
【００１３】
本実施例の携帯機器１０は、３つの板状のベース筐体２０，３０，４０からなり、各ベース筐体２０，３０，４０の同じ片面に表示パネル２２，３２，４２を装備してある。図１〜図４に示すように、ベース筐体２０の対向する２端部から下方向に、ベース筐体３０をスライド式に収容可能な壁２４，２６を起立させてある。同様に、ベース筐体３０の対向する２端部から下方向に、ベース筐体４０をスライド式に収容可能な壁３４，３６を起立させてある。
【００１４】
壁２４，２６の先端は内側に突出する凸部２４ａ，２６ａを有し、この凸部２４ａ，２６ａに対応して、壁３４，３６の外面には凹み３４ｂ，３６ｂを形成してある。これにより、ベース筐体３０は、ベース筐体２０と壁２４，２６で形成される、ベース筐体２０の下側の空間に横方向からスライドして収容されうる。同様に、壁３４，３６の先端は内側に突出する凸部３４ａ，３６ａを有し、この凸部３４ａ，３６ａに対応して、ベース筐体４０の端面に凹み４４ｂ，４６ｂを形成してある。これにより、ベース筐体４０は、ベース筐体３０と壁３４，３６で形成される、ベース筐体３０の下側の空間に横方向からスライドして収容されうる。
【００１５】
すなわち、本実施例では、起立壁２４，２６，３４，３６、凸部２４ａ，２６ａ，３４ａ，３４ｂ、及び凹み３４ｂ，３６ｂ，４４ｂ，４６ｂからなる構成が、ベース筐体２０に対してベース筐体３０を横方向にスライド可能に収容し、ベース筐体３０に対してベース筐体４０を横方向にスライド可能に収容する構成を実現する。図４では、ベース筐体３０，４０の両方を横方向にスライドして引き出しているが、スライド板３０と同４０の一方のみを引き出すことも可能であること明らかである。
【００１６】
ベース筐体３０，４０をベース筐体２０から脱落させない構造を説明する。図３に示すようにベース筐体３０，４０をベース筐体２０の下部に挿入する際の、出口側に、ストッパ板１２をベース筐体２０の端面にネジ止めする。これにより、ベース筐体３０，４０のストッパ板１２の方向への脱落を防止する。勿論、ストッパ板１２を無くして、ベース筐体３０，４０をその両方向でそれぞれベース筐体２０，３０からスライドさせて取り外せるようにしてもよい。
【００１７】
本実施例では、以下に説明する係止機構５０により、ベース筐体３０，４０をそれぞれベース筐体２０，３０に対して所定の位置まで引き出した状態でベース筐体２０，３０に対して係止可能にしてある。図５は、引出し位置におけるベース筐体２０，３０間の係止機構５０の断面図を示し、図６は、ベース筐体３０をベース筐体２０の下面に収容した位置（又は引出し位置でない位置）にあるときの係止機構５０の断面図を示す。ベース筐体３０，４０間の係止機構５０も同じ構造からなる。
【００１８】
ベース筐体３０の上面（すなわち、ベース筐体２０の底面に対面する面であり、表示パネル３２を装備する面）上の、ストッパ板１２寄りに、穴５２を開け、その穴５２内に、バネ５４でベース筐体２０の底面方向に付勢されたボール５６を埋め込む。バネ５４の付勢力により、自由状態では、ボール５６はベース筐体３０の上面より突出する。
【００１９】
他方、ベース筐体３０をベース筐体２０から引き出した所定位置で、ボール５６と対面するベース筐体２０の下面に、ボール５６を受容する凹み５８を設ける。ボール５６が凹み５８に入り込むことで、ベース筐体３０はベース筐体２０に対し、図４に示すようにベース筐体２０から引き出した所定位置で係止される。バネ５４、ボール５６及び凹み５８からなる係止機構５０を、スライド壁２４側と、スライド壁２６側に設けることで、安定的にベース筐体３０をベース筐体２０に係止できる。
【００２０】
穴５２、バネ５４及びボール５６に相当する構成をベース筐体２０の下面に設置し、凹み５８に相当する構成をベース筐体３０の上面に設けてもよいことは明らかである。
【００２１】
ベース筐体３０をベース筐体２０の下側に収容した状態では、図６に示すように、ボール５６はベース筐体２０の底面に押されて穴５２に入り込んでいる。
【００２２】
図４に示す引出し位置では、ベース筐体２０（の内部回路）はベース筐体３０（の内部回路）と信号接続し、ベース筐体３０（の内部回路）はベース筐体４０（の内部回路）と信号接続する。図７は、ベース筐体２０（の内部回路）とベース筐体３０（の内部回路）との間の信号接続部の構成を示す。ベース筐体３０（の内部回路）とベース筐体４０（の内部回路）との間の信号接続部の構成も、基本的に同じである。
【００２３】
ベース筐体２０の底面には、光信号を透過する透過窓６０を設け、ベース筐体３０の上面には、ベース筐体３０の引出し位置で透過窓６０に対面する位置に透過窓８０を設けてある。ベース筐体２０内には発光素子６２及び受光素子６４を設け、ベース筐体３０内には、受光素子６４と対面する発光素子８２、及び、発光素子６４と対面する受光素子８４を設けてある。ベース筐体２０、３０間で２対のフォトカプラで通信路を形成する。すなわち、ベース筐体３０を所定の引出し位置に引き出した状態で、発光素子６２と受光素子８４、発光素子８２と受光素子６４は、互いに対向して光信号を送受信できるように互いに対面して配置されている。
【００２４】
送受信回路６６が主回路６８からの送信すべき信号を変調して発光素子６２を駆動し、発光素子６２は出力信号光を受光素子８４に向け出射する。受光素子６４は、発光素子８２からの信号光を受光して電気信号に変換し、送受信回路６６は、受光素子６４からの電気信号を復調して、主回路６８に供給する。主回路６８は必要な情報を表示装置２２に表示させる。電源電池７０が、送受信回路６６、主回路６８及び表示装置２２の動作に必要な電力をこれらに供給する。
【００２５】
ベース筐体３０内の構成及び動作も、基本的にベース筐体２０のそれと同様である。送受信回路８６が主回路８８からの送信すべき信号を変調して発光素子８２を駆動し、発光素子８２は出力信号光を受光素子６４に向け出射する。受光素子８４は、発光素子６２からの信号光を受光して電気信号に変換し、送受信回路８６は、受光素子８４からの電気信号を復調して、主回路８８に供給する。主回路８８は必要な情報を表示装置３２に表示させる。電源電池９０が、送受信回路８６、主回路８８及び表示装置３２の動作に必要な電力をこれらに供給する。
【００２６】
複数のモニタを利用できる状況では、表示すべき内容を複数のモニタに分散して表示する。これにより、一度に、より多くの内容を表示できる。
【００２７】
本実施例では、筐体２０、３０、４０間にフレキシブルプリント基板のような常時、物理的に接続する手段を用いないので、これらを物理的に分離することも可能になり、使い勝手が大幅に向上する。例えば、所望の内容を表示させた状態で表示パネルを取り外すことも可能になる。地図等を表示させた後に表示パネルだけを取り外してナビゲーションに利用するような使い方が可能となる。
【実施例２】
【００２８】
ベース筐体２０、３０、４０間の接続に電気接点による接続を利用しても良い。図８は、そのような電気端子対の一方の電気端子の平面図を示し、図９は、他方の電気端子の平面図を示す。
【００２９】
図８に示す電気端子９２ａは、アース端子９４ａと、電気端子９２ｂとの電気接続を検知するための検知端子９６ａと、複数の信号端子９８ａを具備する。他方、図９に示す電気端子９２ｂは、アース端子９４ａと対向するアース端子９４ｂと、検知端子９６ａと対向する検知端子９６ｂと、それぞれ信号端子９８ａと対向する複数の信号端子９８ｂとを具備する。アース端子９４ａと検知端子９６ａ間に抵抗１００を接続してある。他方、アース端子９４ｂと検知端子９６ｂの間には、電圧源１０２と電流計１０４をシリアルに接続してある。
【００３０】
図１０及び図１１は、電気端子９２ａを構成する端子、例えば端子９４ａと、この端子９４ａに対向する電気端子９２ｂの端子９４ｂの斜視図を示す。図１０は、端子９４ａ，９４ｂが離れている状態を示し、図１１は、端子９４ａ，９４ｂが接触している状態を示す。対となる端子９４ａ，９４ｂの一方（図１０及び図１１に示す例では、端子９４ｂが、板バネ１０６により、常時、他方の端子（端子９４ａ）に向けて付勢されている。図４に示すような位置にベース筐体２０，３０，４０を配置した状態では、端子９４ｂは、図１１に示すように、端子９４ａにより押し下げられるが、板バネ１０６の反発力により、端子９４ａに強く押し付けられる。これにより、電気端子９２ａ，９２ｂ間の電気接続が確保される。
【００３１】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００３２】
１０：携帯機器
１２：ストッパ板
２０，３０，４０：ベース筐体
２２，３２，４２：表示パネル
２４，２６：壁
３４，３６：壁
２４ａ，２６ａ，３４ａ，３６ａ：凸部
３４ｂ，３６ｂ，４４ｂ，４６ｂ：凹み
５０：係止機構
５２：穴
５４：バネ
５６：ボール
５８：凹み
６０，８０：透過窓
６２，８２：発光素子
６４，８４：受光素子
６６，８６：送受信回路
６８，８８：主回路
【図１】
2010224326.tif 000003
【図２】
2010224326.tif 000004
【図３】
2010224326.tif 000005
【図４】
2010224326.tif 000006
【図５】
2010224326.tif 000007
【図６】
2010224326.tif 000008
【図７】
2010224326.tif 000009
【図８】
2010224326.tif 000010
【図９】
2010224326.tif 000011
【図１０】
2010224326.tif 000012
【図１１】
2010224326.tif 000013